(57)【要約】【課題】ドライバＩＣと液晶表示部との信号線の接続本数を減らすと共に良好な画像を表示すること。【解決手段】液晶表示部５を走査方向に１６分割する。走査信号線駆動回路３の走査信号出力線である共通走査信号線６を、１６分割した個々のグループの個別走査信号線８に、グループごとに切替ながら液晶表示部５を走査する。即ち、走査信号線駆動回路３は、共通走査信号線６を第１グループの個別走査信号線８に接続して第１グループを走査し、次に共通走査信号線６を第２グループの個別走査信号線８に接続して第２グループを走査し、というように、第１６グループまで共通走査信号線６をスイッチングしながら走査していく。このように、複数の個別走査信号線８で共通走査信号線６を共有するため、ドライバＩＣの配線の接続本数を低減することができる。【選択図】図１
2007179017.tif 000002
【特許請求の範囲】
【請求項１】
複数の画素からなる画素列が複数配置された画像表示部と、
前記画素に対して画像信号を出力する画像信号出力手段と、
前記画素列に接続され、当該画素列を構成する画素に、前記出力された画像信号を作用させる走査信号を供給する第１の走査信号線と、走査信号を送出するための第２の走査信号線を備えた走査信号出力手段と、
複数本の前記第１の走査信号線のうちから、走査信号の供給先である画素列に接続する第１の走査信号線に前記第２の走査信号線を接続する走査信号線接続手段と、
を具備したことを特徴とする画像表示装置。
【請求項２】
前記画像表示部は、異なる前記第２の走査信号線に前記第１の走査信号線を介して接続する画素列からなる画素列の組から構成されており、
前記走査信号線接続手段は、前記組ごとに前記第１の走査信号線と前記第２の走査信号線の接続と非接続を行うことを特徴とする請求項１に記載の画像表示装置。
【請求項３】
前記走査信号線接続手段は、前記第２の走査信号線に複数の前記第１の走査信号線を並列に接続するスイッチ手段を備えており、前記スイッチ手段の接続を前記第１の走査信号線ごとに行うことにより、前記第１の走査信号線と前記第２の走査信号線を接続することを特徴とする請求項１、又は請求項２に記載の画像表示装置。
【請求項４】
前記第１の走査信号線と前記第２の走査信号線が非接続となっている場合に、当該第１の走査信号線に接続する画素列に対して、画像信号が作用した状態を保持するための状態保持信号を供給する状態保持手段を具備したことを特徴とする請求項３に記載の画像表示装置。
【請求項５】
前記状態保持手段は、前記第１の走査信号線と前記第２の走査信号線が非接続となった場合に、状態保持信号線を非接続となった前記第１走査信号線に接続することにより状態保持信号を供給することを特徴とする請求項４に記載の画像表示装置。
【請求項６】
前記第１の走査信号線は、３原色に対応する３つの画素に対して個別に設けられており、前記画像信号を供給する画像信号線は、前記３つの画素に対して共通に設けられていることを特徴とする請求項１から請求項５までのうちの何れか１の請求項に記載の画像表示装置。
【請求項７】
前記画素列の組は、３原色に対応する色の画素ごとに形成されていることを特徴とする請求項２に記載の画像表示装置。
【請求項８】
前記画像信号出力手段と、前記走査信号接続手段と、を駆動して、前記画素列の組ごとに前記画素を走査して発光させる駆動手段を具備したことを特徴とする請求項７に記載の画像表示装置。
【請求項９】
前記駆動手段は、前記画素列の組を走査するごとに画素電極に印可する電圧の極性を反転することを特徴とする請求項８に記載の画像表示装置。
【請求項１０】
単一の画像信号線に３原色に対応する画素が接続された画像表示装置において、
３原色のうち、第１の色に対応する画素を走査して前記第１の色に対応する画素を発光させる第１の発光ステップと、
３原色のうち、第２の色に対応する画素を走査して前記第２の色に対応する画素を発光させる第２の発光ステップと、
３原色のうち、第３の色に対応する画素を走査して前記第３の色に対応する画素を発光させる第３の発光ステップと、
から構成されたことを特徴とする画像表示方法。
【発明の詳細な説明】
【技術分野】
【０００１】
本発明は画像表示装置、及び画像表示方法に関し、例えば、スイッチング素子を用いたアクティブマトリクス型の液晶表示装置に関する。
【背景技術】
【０００２】
液晶表示装置は薄型で低消費電力であるため、例えば、テレビ受像器、コンピュータや携帯電話のディスプレイなど、広く用いられるようになってきた。
液晶表示装置には各種の方式が存在するが、広く用いられるものとして個々の画素にスイッチング素子を設けて液晶を駆動するアクティブマトリクス型のものがある。
このタイプの液晶表示装置では、スイッチング素子としてＴＦＴ（Ｔｈｉｎ  Ｆｉｌｍ  Ｔｒａｎｓｉｓｔｏｒ）が用いられ、ソースに画像信号線が接続され、ゲートに走査信号線が接続されている。
そして、走査信号をゲートに加えてＴＦＴをオンすると、ソースに加えられた画像信号により液晶が蓄電（チャージ）されるようになっている。
液晶表示装置の製造では、如何にコストを低減するかが重要であり、次の特許文献に示すような技術が提案されている。
【０００３】
【特許文献１】特開２００３−５８１１９公報
【０００４】
この技術は、アクティブマトリクス型のＴＦＴ液晶表示装置において、液晶表示部の複数（例えば３本）の画像信号線を接続タイミングを変えて単数の（例えば１本）ドライバＩＣの画像信号線の接続端子に接続することにより、ドライバＩＣと液晶表示部との画像信号線の接続本数を減らすものである。
【発明の開示】
【発明が解決しようとする課題】
【０００５】
従来技術では、ドライバＩＣに設けられた単数の画像信号端子を液晶表示部の複数の画像信号線で共用するが、画像信号はアナログ信号であるため、所定のタイミングで画像信号線を高速に切り替えるのが困難であった。
【０００６】
そこで、本発明の目的は、ドライバＩＣと液晶表示部との信号線の接続本数を減らすと共に良好な画像を表示することである。
【課題を解決するための手段】
【０００７】
本発明は、前記目的を達成するために、複数の画素からなる画素列が複数配置された画像表示部と、前記画素に対して画像信号を出力する画像信号出力手段と、前記画素列に接続され、当該画素列を構成する画素に、前記出力された画像信号を作用させる走査信号を供給する第１の走査信号線と、走査信号を送出するための第２の走査信号線を備えた走査信号出力手段と、複数本の前記第１の走査信号線のうちから、走査信号の供給先である画素列に接続する第１の走査信号線に前記第２の走査信号線を接続する走査信号線接続手段と、を具備したことを特徴とする画像表示装置を提供する（第１の構成）。
第１の構成において、前記画像表示部は、異なる前記第２の走査信号線に前記第１の走査信号線を介して接続する画素列からなる画素列の組から構成されており、前記走査信号線接続手段は、前記組ごとに前記第１の走査信号線と前記第２の走査信号線の接続と非接続を行うように構成することもできる（第２の構成）。
第１の構成、又は第２の構成において、前記走査信号線接続手段は、前記第２の走査信号線に複数の前記第１の走査信号線を並列に接続するスイッチ手段を備えており、前記スイッチ手段の接続を前記第１の走査信号線ごとに行うことにより、前記第１の走査信号線と前記第２の走査信号線を接続するように構成することもできる（第３の構成）。
第３の構成において、前記第１の走査信号線と前記第２の走査信号線が非接続となっている場合に、当該第１の走査信号線に接続する画素列に対して、画像信号が作用した状態を保持するための状態保持信号を供給する状態保持手段を具備するように構成することもできる（第４の構成）。
第４の構成において、前記状態保持手段は、前記第１の走査信号線と前記第２の走査信号線が非接続となった場合に、状態保持信号線を非接続となった前記第１走査信号線に接続することにより状態保持信号を供給するように構成することもできる（第５の構成）。
第１の構成から第５の構成までのうちの何れか１の構成において、前記第１の走査信号線は、３原色に対応する３つの画素に対して個別に設けられており、前記画像信号を供給する画像信号線は、前記３つの画素に対して共通に設けられているように構成することもできる（第６の構成）。
第２の構成において、前記画素列の組は、３原色に対応する色の画素ごとに形成されているように構成することもできる（第７の構成）。
第７の構成において、前記画像信号出力手段と、前記走査信号接続手段と、を駆動して、前記画素列の組ごとに前記画素を走査して発光させる駆動手段を具備するように構成することもできる（第８の構成）。
第８の構成において、前記駆動手段は、前記画素列の組を走査するごとに画素電極に印可する電圧の極性を反転するように構成することもできる（第９の構成）。
また、本発明は、単一の画像信号線に３原色に対応する画素が接続された画像表示装置において、３原色のうち、第１の色に対応する画素を走査して前記第１の色に対応する画素を発光させる第１の発光ステップと、３原色のうち、第２の色に対応する画素を走査して前記第２の色に対応する画素を発光させる第２の発光ステップと、３原色のうち、第３の色に対応する画素を走査して前記第３の色に対応する画素を発光させる第３の発光ステップと、から構成されたことを特徴とする画像表示方法を提供する（第１０の構成）。
【発明の効果】
【０００８】
本発明によれば、走査信号の供給元から走査信号の供給先である画素列に接続する走査信号線を動的に接続することにより、ドライバＩＣと液晶表示部との信号線の接続本数を減らすと共に良好な画像を表示することができる。
【発明を実施するための最良の形態】
【０００９】
（１）実施の形態の概要
液晶表示部５（図１）を走査方向に１６分割する。走査信号線駆動回路３の走査信号出力線である共通走査信号線６を、１６分割した個々のグループの個別走査信号線８に、グループごとに切り替えながら液晶表示部５を走査する。即ち、走査信号線駆動回路３は、共通走査信号線６を第１グループの個別走査信号線８に接続して第１グループを走査し、次に共通走査信号線６を第２グループの個別走査信号線８に接続して第２グループを走査し、というように、第１６グループまで共通走査信号線６をスイッチングしながら走査していく。このように、複数の個別走査信号線８で共通走査信号線６を共有するため、ドライバＩＣの配線の接続本数を低減することができる。また、カラーフィルタの縦横を入れ替えることにより、画像信号線を減らすと共に走査信号線を増やす。このため、走査速度を高めることになるが、走査信号はデジタル信号であるため、容易に高速化することができる。
また、本実施の形態では、１本の画像信号線にＲＧＢに対応する画素が接続されるため、まずＲについて走査した後、Ｇを走査し、その後Ｂを走査するといったように、色ごとに走査することにより画像信号線を伝達する画像信号の変動を低減する。
【００１０】
（２）実施の形態の詳細
図１は、本実施の形態の一例に係る画像表示装置の構成を説明するためのブロック図である。
画像表示装置１は、液晶表示部５、画像信号線駆動回路２、走査信号線駆動回路３、グループ別走査回路４、４などから構成されている。そして、液晶表示部５、グループ別走査回路４、４によりＴＦＴ液晶パネル１００が構成されている。
液晶表示部５は、例えば、アクティブマトリクス型のａ−ＳｉＴＦＴ液晶パネルであって、画素数が２４０×９６０（横×縦）のＱＶＧＡ（Ｑｕａｒｔｅｒ  Ｖｉｄｅｏ  Ｇｒａｐｈｉｃｓ  Ａｒｒａｙ）と呼ばれる規格を満たしている。この規格は、例えば、携帯電話のディスプレイなど比較的小さい表示画面で用いられるものである。
以下では、図１に示した液晶表示部５において画像信号線駆動回路２が配設された側を上側、走査信号線駆動回路３が配設された側を下側とする。
【００１１】
液晶表示部５の上側には液晶表示部５に画像信号を供給する画像信号線駆動回路２が設けられている。
画像信号線駆動回路２から液晶表示部５の画素の各列に対して２４０本の画像信号線９が設けられている。各々の画素列には、画像信号線駆動回路２から画像信号線９を介して画像信号が供給される。
画像信号はアナログ信号であり、画像信号の電圧によって各画素の階調などが規定される。
【００１２】
液晶表示部５の左右両側には液晶表示部５に走査信号を加えるためのグループ別走査回路４、４が設けられている。グループ別走査回路４、４は、構成部品としてＴＦＴ液晶パネル１００に含まれており、走査信号線駆動回路３とＴＦＴ液晶パネル１００の接続部分を構成している。
グループ別走査回路４、４には、液晶表示部５の走査信号線が例えば交互に接続されるなどして２分されて接続されている。
液晶表示部５の走査信号線は画素の各行に設けられているため、一方のグループ別走査回路４につき９６０÷２＝４８０本が接続されていることになる。
【００１３】
本実施の形態で液晶表示部５の走査信号線を左右に振り分けたのは、液晶表示部５を画像表示装置１の中央部に配置するためである。
このように、グループ別走査回路４、４を２つ配置したのは、液晶表示部５のレイアウトによる便宜上のものであって、走査信号線を全て何れか一方（例えばグループ別走査回路４）に接続するように構成することもできる。
以下では、説明を簡単にするため、グループ別走査回路４、４のうち液晶表示部５の左側に配置されたものについて説明するが、この説明はそのまま右側のグループ別走査回路４に適用できるものである。
【００１４】
グループ別走査回路４からは、液晶表示部５を上下方向に１６等分したグループに対して個別走査信号線８が接続されている。
このように液晶表示部５は、グループ別走査回路４によって１６等分されており、上から第１グループ、第２グループ、・・・、第１６グループと呼ぶことにする。
以下では、第ｎグループ（ｎは１から１６までの整数）に走査信号線に接続する個別走査信号線８を個別走査信号線８−ｎなどと記し、これらを特に区別しない場合は単に個別走査信号線８と記すことにする。
グループ別走査回路４は、液晶表示部５の走査信号線を１６等分するため、各個別走査信号線８−ｎは、４８０÷１６＝３０本の走査信号線により構成されている。
なお、図１では模式的に各グループごとの個別走査信号線８−ｎを区分して図示したが、物理的に区分されていることを意味しているものではない。
【００１５】
液晶表示部５の下側には液晶表示部５に走査信号を供給する走査信号線駆動回路３が設けられている。走査信号線駆動回路３と画像信号線駆動回路２はドライバＩＣを構成している。
走査信号線駆動回路３が出力する走査信号が液晶表示部５の行を構成する画素列に加えられると、画像信号線９によって供給されている画像信号によって当該画素列の個々の画素が蓄電されて駆動する。
【００１６】
走査信号線駆動回路３からグループ別走査回路４へは、グループ選択信号線７と共通走査信号線６が設けられている。
共通走査信号線６は、３０本の走査信号線から構成されており、走査信号線駆動回路３は、グループ選択信号線７に信号を送出することにより個別走査信号線８−１〜８−１６何れかを選択し、この個別走査信号線８−ｎに共通走査信号線６を接続することができる。
そして、走査信号線駆動回路３は、共通走査信号線６を個別走査信号線８−１に接続して第１グループを走査した後、個別走査信号線８−２を選択して第２グループ走査するといったように、共通走査信号線６の接続を個別走査信号線８−１〜８−１６で順次切り替えて液晶表示部５の最上端の行から最下端の行まで走査する。
このように、共通走査信号線６を個別走査信号線８−１〜８−１６で共用するため、走査信号線駆動回路３と接続する走査信号線の本数を減らすことができ、グループ選択信号線７の本数を加えてもＴＦＴ液晶パネル１００と走査信号線駆動回路３の接続本数を減らすことができる。
【００１７】
なお、グループ選択信号線７は、グループを選択するための配線（後述のグループ非選択線１５、グループ選択線１６）のほか、後述するＶｃｏｍ線やＧｏｆｆ線１７などが含まれる。
【００１８】
図２は、液晶表示部５における画素の配列を説明するための図である。このうち、図２（ａ）は本実施の形態に係る画素配列を示し、図２（ｂ）は一般的な従来例に係る画素配列を示している。
図に示したように、本実施の形態では、３原色を構成するＲＧＢのカラーフィルタが配置された画素１１ａ、ｂ、ｃ、・・・が画面の上下方向に並べられており、これらに共通の画像信号線９ａが画素ＴＦＴ１０ａ、ｂ、ｃ、・・・を介して接続している。
そして、画素ＴＦＴ１０ａ、ｂ、ｃ、・・・のゲートには、それぞれ個別走査信号線８ａ、ｂ、ｃ、・・・が接続されている。
なお、以下では、同種の要素を特に区別しない場合は、例えば画素ＴＦＴ１０というように数字の添字に英文字を付さずに示し、個々を区別する場合は、画素ＴＦＴ１０ａ、画素ＴＦＴ１０ｂなどと数字の添字に英文字を添えて区別することとする。
【００１９】
画素ＴＦＴ１０ａ、ｂ、ｃ、・・・は、例えば、電界効果トランジスタ（ＦＥＴ）などで構成されたスイッチ素子であり、ゲートに個別走査信号線８ａ、ｂ、ｃ、・・・が接続され、ソースに画像信号線９ａが接続され、ドレインに画素１１ａ、ｂ、ｃ、・・・が接続されている。
このため、個別走査信号線８ａに走査信号を供給して画素ＴＦＴ１０ａをオンにすると、画像信号線９ａで供給される画像信号による電圧で画素１１ａが蓄電される。個別走査信号線８ａの信号により画素ＴＦＴ１０ａをオフにすると、画素１１ａに蓄電された電荷は保持される。
同様に、画素ＴＦＴ１０ｂをオンオフして画素１１ｂを蓄電して電荷を保持し、画素ＴＦＴ１０ｃをオンオフして画素１１ｃを蓄電して電荷を保持することができる。
【００２０】
一方、従来例では、ＲＧＢの画素１１１ａ、ｂ、ｃ、・・・が画面の左右方向に並べられており、これらに共通の走査信号線１０８ａが設けられている。
そして、画素１１１ａ、ｂ、ｃ、・・・は、それぞれ画素ＴＦＴのソースを介して画像信号線１０９ａ、ｂ、ｃ、・・・が接続されている。
このため、走査信号線１０８ａに走査信号を供給して画素ＴＦＴをオンにすると、画素１１１ａは画像信号線１０９ａの画像信号により蓄電され、同様に、画素１１１ｂは画像信号線１０９ｂの画像信号により、また、画素１１１ｃは画像信号線１０９ｃの画像信号により蓄電される。
【００２１】
以上のように、従来例ではＲＧＢの画素を左右方向に配列しているのに対し、本実施の形態では、上下方向に配列している。そのため、本実施の形態では、３原色の画素で画像信号線９ａを共有し、画像信号線の本数を減らすことができる。
なお、走査信号線は従来の３倍に増えるため、従来例の３倍で液晶表示部５を走査することになる。
しかし、アナログ信号（画像信号）を高速で切り替えて供給するのに比べ、デジタル信号（走査信号）を高速で切り替える方が容易であるため、画像信号線の本数を減らして走査信号線の本数を増やす方が制御が容易であると共に安定した画像が得られる。
【００２２】
図３は、グループを選択する仕組みについて説明するための図である。
個別走査信号線８ａは、グループ別走査回路４内で、２つのＴＦＴ２１ａ、２１ｂを組み合わせたセレクタＴＦＴ２０に接続されている。
ＴＦＴ２１ａとＴＦＴ２１ｂのソースは共に個別走査信号線８ａに接続されている。そして、ＴＦＴ２１ａのソースは共通走査信号線６ａに接続され、ゲートはグループ選択線１６ａに接続されている。
【００２３】
一方、ＴＦＴ２１ｂのソースはＧｏｆｆ線１７に接続され、ゲートはグループ非選択線１５ａに接続されている。
以下では、ＴＦＴ２１ａ、ＴＦＴ２１ｂ、・・・の各ＴＦＴは、ゲートの電圧がＨでオンになり、Ｌでオフになるものとして説明する。
【００２４】
図３において、グループ選択線１６ａの電圧がＨ、グループ非選択線１５ａの電圧がＬになった場合、ＴＦＴ２１ａはオンになり、ＴＦＴ２１ｂはオフになる。
このため、個別走査信号線８ａは、ＴＦＴ２１ａを介して共通走査信号線６ａに接続し、個別走査信号線８ａに走査信号を伝達できるようになる。これによって走査信号によって画素ＴＦＴ１０ａ、・・・をオンオフすることができる。
【００２５】
逆にグループ選択線１６ａの電圧がＬ、グループ非選択線１５ａの電圧がＨになった場合、ＴＦＴ２１ａはオフになり、ＴＦＴ２１ｂはオンになる。すると、個別走査信号線８ａはＴＦＴ２１ｂを介してＧｏｆｆ線１７に接続される。
Ｇｏｆｆ線１７は、画素ＴＦＴ１０ａ、・・・をオフとする電圧に保たれており、Ｇｏｆｆ線１７の電圧が画素ＴＦＴ１０ａ、・・・のゲートに加わることにより、画素ＴＦＴ１０ａ、・・・はオフになる。これによって、共通走査信号線６ａと個別走査信号線８ａは非接続となる。
【００２６】
このようにして、セレクタＴＦＴ２０ａは、グループ非選択線１５ａ、グループ選択線１６ａの信号電圧により、個別走査信号線８ａを共通走査信号線６ａかＧｏｆｆ線１７に接続することができる。
以上のように、セレクタＴＦＴ２０は、共通走査信号線６に接続する端子（以下、共通走査信号端子）、個別走査信号線８に接続する端子（以下、個別走査信号端子）、Ｇｏｆｆ線１７に接続する端子（以下、Ｇｏｆｆ端子）、グループ選択線１６に接続する端子（以下、選択端子）、及びグループ非選択線１５に接続する端子（以下、非選択端子）を備える５端子素子となっており、選択端子がＨかつ非選択端子がＬのとき、共通走査信号端子と個別走査信号端子を接続し、選択端子がＬかつ非選択端子がＨのとき、共通走査信号端子と個別走査信号端子を非接続とするスイッチ素子を構成している。
【００２７】
図４は、グループ別走査回路４の全体的な配線構成を説明するための図である。
共通走査信号線６は、共通走査信号線６ａ、６ｂ、・・・といったように３０本あり、グループ選択線１６は、グループ選択線１６ａからグループ選択線１６ｐまで１６本ある。グループ非選択線１５もグループ非選択線１５ａからグループ非選択線１５ｐまで１６本ある。
なお、以下では、便宜上３０本目の共通走査信号線６を共通走査信号線６ｚとし、３０本目を示す添字としてｚを用いることにする。
【００２８】
これらの配線のうち、まず、セレクタＴＦＴ２０の走査信号端子の配線について説明する。
第１グループの上から１番目のセレクタＴＦＴ２０ａの共通走査信号端子は、共通走査信号線６ａに接続され、２番目のセレクタＴＦＴ２０ｂの走査信号端子は、共通走査信号線６ｂに接続されている。以下、同様にして、図示しないが３０番目のセレクタＴＦＴ２０ｚの走査信号端子は、共通走査信号線６ｚに接続されている。
第２グループから第６グループまで同様に配線されており、各グループで一番上のセレクタＴＦＴ２０の共通走査信号端子は共通走査信号線６ａに接続され、２番目のセレクタＴＦＴ２０の共通走査信号端子は共通走査信号線６ｂに接続され、以下同様にして、３０番目のセレクタＴＦＴ２０の共通走査信号端子は共通走査信号線６ｚに接続されている。
【００２９】
セレクタＴＦＴ２０のＧｏｆｆ端子は、グループに関係なく全てＧｏｆｆ線１７に接続されている。
セレクタＴＦＴ２０の選択端子に関しては、第１グループのセレクタＴＦＴ２０の選択端子はグループ選択線１６ａに接続され、第２グループのセレクタＴＦＴ２０の選択端子はグループ選択線１６ｂに接続されるというように、第ｎグループのセレクタＴＦＴ２０の選択線は、ｎ番目のグループ選択線１６に接続されている。
【００３０】
セレクタＴＦＴ２０の非選択端子に関しては、第１グループのセレクタＴＦＴ２０の非選択端子はグループ非選択線１５ａに接続され、第２グループのセレクタＴＦＴ２０の非選択端子はグループ非選択線１５ｂに接続されるというように、第ｎグループのセレクタＴＦＴ２０の非選択端子は、ｎ番目のグループ非選択線１５に接続されている。
【００３１】
以上のような配線において、例えば、ｎ番目のグループ選択線１６をＨにし、ｎ番目以外のグループ非選択線１５をＬに設定すると、第ｎグループが選択状態となり、共通走査信号線６に出力した走査信号は第ｎグループのセレクタＴＦＴ２０に接続する個別走査信号線８に出力される。
このようにして、走査信号線駆動回路３は、グループ非選択線１５とグループ選択線１６の出力信号を制御することにより、共通走査信号線６と、所定のグループの個別走査信号線８を接続することができる。
【００３２】
図５は、画像表示装置１の走査信号などの出力タイミングを示した波形図である。
一般に、液晶画面の走査方法にはライン反転方式とフレーム反転方式があるが、ここではフレーム反転方式の場合について説明する。
まず、図６のグループ選択線１６とグループ非選択線１５の波形図を用いて、走査信号線駆動回路３が行うグループの選択制御について説明する。
走査信号線駆動回路３は、グループ選択線１６とグループ非選択線１５に対して、Ｈとして＋２０［Ｖ］を出力し、Ｌとして−１５［Ｖ］を出力する。なお、ＨとＬのレベルは一例であり、任意に設定することができる。
【００３３】
まず、第１グループを選択する場合、走査信号線駆動回路３は、グループ選択線１６のうちグループ選択線１６ａをＨにし、他のグループ選択線１６ｂ〜グループ選択線１６ｐをＬにする。
一方、グループ非選択線１５に関しては、走査信号線駆動回路３は、これと同期してグループ非選択線１５ａをＬにし、他のグループ非選択線１５ｂ〜グループ非選択線１５ｐをＨにする。
【００３４】
このように設定すると、第１グループのセレクタＴＦＴ２０は、共通走査信号線６に接続され、他のグループのセレクタＴＦＴ２０は非接続に設定される。
走査信号線駆動回路３は、このようにして第１グループを共通走査信号線６に接続している間に第１グループを走査する。そして、第１グループの走査を終えると次に第２グループを選択する。
第２グループを選択する場合、走査信号線駆動回路３は、グループ選択線１６ｂをＨにし、他のグループ選択線１６をＬにすると共に、グループ非選択線１５ｂをＨにし、他のグループ非選択線１５をＬにする。
一般に、第ｎグループを選択する場合、走査信号線駆動回路３は、ｎ番目のグループ選択線１６をＨにし、他のグループ選択線１６をＬにすると共に、ｎ番目のグループ非選択線１５をＨにし、他のグループ非選択線１５をＬにする。
【００３５】
このようにして、走査信号線駆動回路３は、第ｎグループを選択してこれを走査し、次に第（ｎ＋１）グループを選択してこれを走査するといように、第１グループから第６グループにかけて順に走査し、全画面の走査を終えると、第１グループに戻って走査を繰り返す。
なお、本実施の形態では、第１グループから第１６グループまで順に選択するが、グループの選択順序はこれに限定するものでなく任意に設定することができる。
【００３６】
次に、他の波形図を用いて選択したグループに対して走査信号線駆動回路３が行う走査について説明する。
図６に示した共通走査信号線６、ＶＧｏｆｆ、画像信号線９、Ｖｃｏｍは、グループ非選択線１５とグループ選択線１６によって第１グループが選択されている間の信号を示したものである。
共通走査信号線６に関しては、走査信号線駆動回路３は、まず、共通走査信号線６ａをＨに設定し、共通走査信号線６ｂ〜６ｚをＬに設定する。これによって、個別走査信号線８ａがＨに設定され、個別走査信号線８ｂ〜８ｚはＬに設定される。
【００３７】
すると、第１グループの第一行目の画素列の画素ＴＦＴ１０がオンとなり、他の画素列の画素ＴＦＴ１０がオフとなるため、画像信号線９に出力されている画像信号の電圧が第一行目の画素列に蓄電される。なお、図６では２４０本ある画像信号線９のうちの１本を例示しており、０〜＋５［Ｖ］の間のアナログ値をとる。
【００３８】
一行目の画素列に走査信号を出力した後、走査信号線駆動回路３は、共通走査信号線６ｂをＨに設定し、他の共通走査信号線６をＬに設定する。これによって個別走査信号線８ｂがＨに設定されると共に他の個別走査信号線８がＬに設定され、第２行目の画素列が画像信号線９の画像信号電圧にて蓄電される。
【００３９】
このようにして、走査信号線駆動回路３は、所定の時間間隔（タイミング）で共通走査信号線６ａ〜６ｚを順に走査する。共通走査信号線６は個別走査信号線８に接続されているため、これに接続している個別走査信号線８ａ〜８ｚも走査される。
そして、走査信号線駆動回路３は、画像信号線９ｚを走査すると次のグループを選択して同様に画素列を順に走査する。
本実施の形態では、１本目の個別走査信号線８ａから３０本目の個別走査信号線８ｚまで順に走査していくが、これに限定するものでなく、走査する順序は任意に設定することができる。
【００４０】
ＶＧｏｆｆは、走査信号線駆動回路３がＧｏｆｆ線１７に出力する信号波形を示しており、−１５［Ｖ］の一定値が設定されている。この電圧は画素ＴＦＴ１０をオフに設定する電圧として利用される。
Ｖｃｏｍは、液晶表示部５の各画素に共通に設けられた共通電極に出力される電圧の波形を示している。画素は画像信号線９で供給する電荷が蓄電される蓄電電極と、これに対向する共通電極と、両電極間に配設された液晶などを用いて構成されている。そして蓄電電極と共通電極の間の電位差によって液晶が駆動される。
Ｖｃｏｍとしては０〜５［Ｖ］の間の値が設定可能であるが、本実施の形態では、０［Ｖ］より若干大きい一定電圧とした。
【００４１】
本実施の形態では、フレーム反転方式を採用したため、ＶＧｏｆｆとＶｃｏｍは共に一定値となったが、ライン反転方式を採用する場合、走査信号に同期して、出力を変化させる。
【００４２】
図６は、本実施の形態に係る画像表示装置と従来品に係る画像表示装置を比較した表である。
比較は、ＱＶＧＡ（短辺スキャン）、ＱＶＧＡ（長辺スキャン）、ＶＧＡ（短辺スキャン）、ＶＧＡ（長辺スキャン）の４タイプについて行った。
短辺スキャンとは、画素数の少ない側の辺をスキャンするタイプで、長辺スキャンは画素数の多い側の辺をスキャンするタイプのものである。
【００４３】
表に示したように、例えば、ＱＶＧＡ（短編スキャン）では、ドライバＩＣとの走査信号線や画像信号線などの接続本数が従来品では１２００本であるのに対し、本願ではドライバＩＣ（画像信号線駆動回路２、走査信号線駆動回路３）とＴＦＴ液晶パネル１００を接続することにより、接続本数が４３０本となり、約１／３に減っている。
ゲート幅とは、走査信号で各画素列を走査する時間であり、従来品は５２．１［μＳ］であるのに対し本願は１７．４［μＳ］となり、約３倍の速さで走査している。
これは、本願では、図２で示したように、カラーフィルタを縦方向に配列したため、走査信号線が３倍になったためである。
他のタイプにおいても、ドライバＩＣ接続本数は約１／３程度になっている。
【００４４】
以上説明したように、液晶表示部５は、複数の画素からなる画素列が複数配置された画像表示部として機能し、画像信号線駆動回路２は、画素に対して画像信号を出力する画像信号出力手段として機能している。
また、個別走査信号線８は、画素列に接続され、当該画素列を構成する画素に、前記出力された画像信号を作用させる走査信号を供給する第１の走査信号線として機能している。ここで、作用とは、例えば、画素に蓄電を行うことを意味する。
更に、走査信号線駆動回路３は、走査信号を送出するための第２の走査信号線である共通走査信号線６を備えた走査信号出力手段として機能している。
加えて、走査信号線駆動回路３はセレクタＴＦＴ２０を制御して共通走査信号線６と個別走査信号線８を接続する走査信号線接続手段として機能している。
【００４５】
そして、液晶表示部５は、異なる前記第２の走査信号線に前記第１の走査信号線を介して接続する画素列からなる画素列の組、即ちグループから構成されており、走査信号線駆動回路３は、グループごとに共通走査信号線６と個別走査信号線８の接続と非接続を行う。
また、セレクタＴＦＴ２０は、共通走査信号線６に複数の個別走査信号線８を並列接続するスイッチ手段として機能している。
【００４６】
更に、走査信号線駆動回路３は、共通走査信号線６と個別走査信号線８が非接続となっている場合は、Ｇｏｆｆ信号（状態保持信号線として機能）によって画素ＴＦＴ１０をオフにし、画像信号が作用した状態（電荷が蓄電された状態）を保持する。これは状態保持手段として機能している。
また、図２に示したように、カラーフィルタを上下方向に配置したため、個別走査信号線８は３原色に対応する３つの画素に対して個別に設けられており、画像信号を供給する画像信号線９は、この３つの画素に対して共通に設けられている。
【００４７】
以上に説明したように、本実施の形態では、画素ＴＦＴ１０とセレクタＴＦＴ２０を設けることによりゲートを２段構成にし、液晶表示部５の領域をグループ化して選択しながら走査することができる。
また、本実施の形態では、カラーフィルタの配列の縦横を入れ替えて、走査線（画素ＴＦＴのゲート）を３倍にして、信号線（画素ＴＦＴのソース）を１／３の本数にすることができる。カラーフィルタの配列の縦横を入れ替えることにより走査線は増えるが、液晶表示部５をグループ化することによりパネル全体の接続本数は減る。
【００４８】
このように、ドライバＩＣの配線接続本数が減るため、ドライバＩＣを小型化、コストの低減、及び実装歩留まりの向上を図ることができる。
また、配線のピッチが粗いためＣＯＦ（フレキシブルな基板による接続）も可能になる。そうするとパネルのＣＯＧ部分（ドライバＩＣを配置する部分）がなくなりパネル全体の面積を４％くらい小さくできる。
【００４９】
本実施の形態では、ＱＶＧＡのアクティブマトリクス型のａ−ＳｉＴＦＴ液晶パネルを例に採り説明したが、これに限定するものではなく、他の規格の液晶パネルや、あるいはプラズマディスプレイなど、ドライバＩＣの走査信号線とパネルの走査信号線をスイッチングすることによりドライバＩＣの走査信号線数を減らすものに広く適用することができる。
【００５０】
なお、本実施の形態では、画素ＴＦＴ１０のゲートの電圧が２５［Ｖ］（＋１５［Ｖ］、−１０［Ｖ］）程度必要であるため、セレクタＴＦＴ２０のゲートの電圧を３５［Ｖ］（＋２０［Ｖ］、−１５［Ｖ］）とした。近年では、３５［Ｖ］程度の電圧を制御するドライバＩＣが普及しており、これを用いて走査信号線駆動回路３、画像信号線駆動回路２などを構成することが可能である。
【００５１】
（変形例１）
次に、変形例１について説明する。本変形例では、画素列のグループ（組）を、ＲＧＢ、即ち３原色に対応する色の画素列ごとに形成する。
画像表示装置１では、同一の画像信号線９にＲＧＢに対応する画素１１が接続されているため、液晶表示部５を上端から下端（逆でもよい）にかけて順に走査すると、走査信号が画素列を移動するたびに画像信号線９を伝達する信号が、Ｒの画像信号、Ｇの画像信号、Ｂの画像信号というように切り替わる。
そのため、画像信号線９を伝達する画像信号の変動が大きくなり、例えば、クロストークなどの不都合を生じさせる場合がある。
【００５２】
液晶表示部５は、上端から下端にかけて順に走査する必然性はなく、走査線を飛び飛びに走査してもよい。
そのため、本実施の形態では、ＲＧＢごとの画素列ごとにグループを形成して、まず、Ｒのグループを走査し、次にＧのグループを走査し、次にＢのグループを走査すると行ったように、画像信号線９になるべく同じ色の画像信号が伝達するようにする。
【００５３】
図７は、ＲＧＢの列ごとにグループを形成する場合の画素１１や配線の構成を説明するための図である。
図７に示したように、発光色がＲである画素１１ａと画素１１ｄは、グループ選択線１６ａ、グループ非選択線１５ａに接続しており、共に第１グループに属する。
そして、画素１１ａは、共通走査信号線６ａに接続しており、画素１１ｄは共通走査信号線６ｂに接続しており、第１グループ選択時に順次走査できるようになっている。
【００５４】
図７では、煩雑化を避けるため、共通走査信号線６ｂ以降、グループ選択線１６ｂ以降、グループ非選択線１５ｂ以降については符号を省略してある。
図示しない更に下のＲの画素列も同様にグループ選択線１６ａ、グループ非選択線１５ａに接続しており、順に画素信号線６ｃ、６ｄ、・・・、に接続している。
【００５５】
なお、グループ別走査回路４の配線は、各種のものが可能であり、例えば、液晶表示部５を３グループに区分して、Ｒの画素列を第１グループ、Ｇの画素列を第２グループ、Ｂの画素列を第３グループとした場合、グループ別走査回路４のセレクタ部分は、３本ずつのグループ非選択線１５及びグループ選択線１６から構成され、共通走査信号線６は１６０本となる。
この場合、走査信号駆動回路３は、第１グループから第３グループを順次選択して走査することにより、ＲＧＢの色ごとに走査することができる。
【００５６】
また、後述の第２の変形例のように、Ｒの画素列を更に２つに区分し、ＧＢの画素列も更に２つに区分し、これらを第１グループ〜第６グループとすることもできる。
この場合、グループ別走査回路４のセレクタ部分は、６本ずつのグループ非選択線１５及びグループ選択線１６から構成され、共通走査信号線６は８０本となる。
この場合、走査信号駆動回路３は、第１グループから第６グループを順次選択して走査することにより、ＲＧＢの発色ごとに走査することができる。
そして、ＲＧＢの画素列を更に多くのグループに区分することもできる。
【００５７】
加えて、上のようにグループ数を３、６とする他、例えば、９、１２、１５、１８・・・など、グループ数を３の倍数とすると、ＲＧＢの色別のグループを構成することができる。
例えば、グループ数を１５とする場合、グループ非選択線１５が１５本、グループ選択線１６が１５本、共通走査信号線６が３２本となる。これにＧｏｆｆ線１７を加えると、接続本数は６３本となり、先の実施の形態と同様の接続本数削減効果を得ることができる。
【００５８】
また、先に説明した実施の形態と同様に画素列を１６グループに区分する場合は、第１グループから第１５グループをそれぞれ色別のグループとし（ＲＧＢのグループがそれぞれ５個ずつできる）、第１６グループをＲＧＢが混在するグループとすることもできる。
この場合、走査信号駆動回路３は、第１６グループを走査する際には、現在走査中の色を選択して走査する。
例えば、現在Ｒの画素列を走査している場合、走査信号駆動回路３は、第１グループから第１５グループまでは、Ｒの画素列のグループを選択して走査し、第１６グループに関しては、第１６グループに含まれるＲの画素列のみを走査する。
このように、グループ数は３の倍数でない場合、ＲＧＢが混在するグループができるが、その場合は、走査信号駆動回路３の制御によって色別に走査することができる。
なお、以上に説明したグループ別走査回路４の配線、走査信号駆動回路３の走査方法は一例であって、各種のものが可能である。
【００５９】
以上のように構成したグループ別走査回路４を用いて、走査信号駆動回路３は、液晶表示部５を色ごとに区分して走査することができる。そして、画像信号線駆動回路２によってグループごとに画素列を発光させることができる。
このように、走査信号駆動回路３とグループ別走査回路４は、駆動手段として機能している。
同一のグループを走査している間、共通走査信号線６には、当該グループの色の画像信号しか伝達しないため、画像信号の大きな変動を軽減化することができる。
【００６０】
図８は、変形例１において、画像表示装置１が液晶表示部５を走査する走査方法の１例を説明するための図である。
図８は、ソース出力波形であって、縦軸は、画素１１の画素電極に印加される電圧であり、横軸は時間を表している。コモン電極は接地されてるものとするが、バイアスを加えてもよい。
図８に示したように、画像表示装置１は、Ｒのグループをプラスの極性で走査した後、極性を反転して、Ｇのグループをマイナスの極性で走査し、再度、極性を反転してＢのグループをプラスの極性で走査する。これによって１フレームが形成される。
画像表示装置１は、以後同様に、画素列のグループを走査するごと画素に印加する電圧を反転させていく。
【００６１】
極性を反転することにより、消費電力を下げることができるほか、プラスの極性とマイナスの極性がキャンセルするためクロストークを低減することができる。
例えば、図８に示した１フレームでは、Ｒのプラス極性をＧのマイナス極性でキャンセルし、クロストーク量はＢのプラス極性分だけとなっている。
このように、本変形例の走査方法は、クロストークを抑えながら低消費電力を実現することができる。
【００６２】
（変形例２）
本変形例は、ＲＧＢのグループを、更に、Ｒの画素列のうち、上端から偶数番目の画素列のグループ、奇数番目の画素列のグループ、Ｇについても偶数番目のグループ、奇数番目のグループ、Ｂについても偶数番目のグループ、奇数番目のグループ、というように、ＲＧＢのグループを更に偶数のグループと奇数のグループの計６個のグループに分けるものである。
【００６３】
例えば、図９の例では、画素１１ａがＲの画素の列のうち、偶数番目に属するものとし、第１グループとなっている。
同様に、画素１１ｂ、１１ｃも、それぞれＧ、Ｂの画素列のうち、偶数番目に属するものとし、第２グループ、第３グループとなっている。
画素１１ｄは、画素１１ａが偶数番目のため、奇数番目となり、第４グループとなっている。
同様に、画素１１ｅ、１１ｆは、それぞれ奇数番目であり、第５グループ、第６グループとなっている。
図示しないが、以下同様に、第１グループ〜第６グループ、第１グループ〜第６グループ、・・・と繰り返していく。
【００６４】
グループ非選択線１５とグループ選択線１６の配線に関しては、第１グループの画素列は、グループ非選択線１５ａ、グループ選択線１６ａに接続し、第２グループの画素列は、符号は図示しないが、グループ非選択線１５ｂ、グループ選択線１６ｂに接続し、・・・、というように接続している。
共通走査信号線６の配線については、各グループに関して、一番目の画素列は共通走査信号線６ａに接続し、２番目の画素列は共通走査信号線６ｂに接続し、・・・、となっている。
【００６５】
図１０は、変形例２において、画像表示装置１が液晶表示部５を走査する走査方法の１例を説明するための図である。
図８と同様に、縦軸は、画素電極に印可される電圧を表しており、横軸は時間を表している。
以下、Ｒの画素列のうち、偶数番目のものをＲ（偶）などと記すことにする。
【００６６】
図１０に示したよう、画像表示装置１は、Ｒ（奇）のグループをプラスの極性で走査した後、極性を反転して、Ｒ（偶）のグループをマイナスの極性で反転する。引き続いて、極性を反転してＧ（奇）のグループを走査し、次にＧ（偶）のグループをマイナスの極性で走査する。これによって１フレームが完成する。
以後、同様に、画素列のグループを走査するごとに電極の極性を反転しながら、グループごとに画素列を発光させていく。
【００６７】
極性を反転することにより、消費電力を下げることができるほか、プラスの極性とマイナスの極性がキャンセルするためクロストークを低減することができる。
例えば、図１０に示した１フレームでは、Ｒ（奇）のプラス極性をＲ（偶）のマイナス極性でキャンセルし、同様にＧ（奇）とＧ（偶）がキャンセルし、Ｂ（奇）とＢ（偶）がキャンセルしている。即ち、各色がフレーム内で両極性を持ちキャンセルされる。
【００６８】
図１１は、変形例２における他の走査方法であり、図に示したように、Ｒ（奇）をプラス極性で走査した後、Ｇ（奇）をマイナスで走査し、次に、Ｂ（奇）をプラス走査で走査し、というように、奇数のグループを色ごとに極性を反転しながら走査し、次いで偶数のグループを色ごとに極性を反転しながら走査するように構成することもできる。
なお、走査のパターンは、これらに限定するものではなく、グループごとに極性を反転しながら走査すればよく、走査するグループの順序は任意に設定することができる。
【００６９】
以上に説明した変形例１、２では次のような効果を得ることができる。
（１）ゲートを２段構成にして、領域を選択しながら走査するときに、駆動方法は、各色ごとのフレーム反転駆動とし、ゲートの領域分けは、その走査順に合わせて分割することができる。
（２）変形例１の場合は、カラーフィルタの配列の縦横を入れ替えてあるので、上から順にＲＧＢの場合、最初にＲだけをプラス極性で走査し、次にＧをマイナス極性で走査し、次にＢをプラス極性で走査し、計３回の副走査で１フレームを形成することができる。次のフレームは、各色極性反転してＲをマイナス極性、Ｇをプラス極性、Ｂをマイナス極性で走査し、以降、同様に極性を反転しながらフレームを形成することができる。
（３）変形例２では、ＲＧＢのグループを更に偶数奇数により区分してＲ（偶）、Ｒ（奇）、・・・などとし、極性を反転しながら走査することができる。
（４）色ごとに区分して走査するため、画像信号線駆動回路２が画像信号線９を介して供給する画像信号の変動を低減することができ、クロストークなどの不具合を低減することができる。
（５）色ごとのフレーム反転とすることにより、プラス極性とマイナス極性がキャンセルし、クロストークを低減することができる。
【図面の簡単な説明】
【００７０】
【図１】本実施の形態の一例に係る画像表示装置の構成を説明するためのブロック図である。
【図２】本願と従来例の液晶表示部の画素配列を比較するための図である。
【図３】グループを選択する仕組みについて説明するための図である。
【図４】グループ別走査回路の全体的な配線構成を説明するための図である。
【図５】各種信号の出力タイミングを示した波形図である。
【図６】本実施の形態に係る画像表示装置と従来品に係る画像表示装置を比較した表である。
【図７】変形例１の配線構成などを説明するための図である。
【図８】変形例１の液晶表示部の走査方法を説明するための図である。
【図９】変形例２の配線構成などを説明するための図である。
【図１０】変形例２の液晶表示部の走査方法を説明するための図である。
【図１１】変形例２の液晶表示部の他の走査方法を説明するための図である。
【符号の説明】
【００７１】
１  画像表示装置
２  画像信号線駆動回路
３  走査信号線駆動回路
４  グループ別走査回路
５  液晶表示部
６  共通走査信号線
７  グループ選択信号線
８  個別走査信号線
９  画像信号線
１００  ＴＦＴ液晶パネル
【図１】
2007179017.tif 000003
【図２】
2007179017.tif 000004
【図３】
2007179017.tif 000005
【図４】
2007179017.tif 000006
【図５】
2007179017.tif 000007
【図６】
2007179017.tif 000008
【図７】
2007179017.tif 000009
【図８】
2007179017.tif 000010
【図９】
2007179017.tif 000011
【図１０】
2007179017.tif 000012
【図１１】
2007179017.tif 000013